(57)【要約】【課題】簡単な構成かつ少ない部品点数で、筆記部を本体軸の前端開口から出没させるようにした筆記具を提供する。【解決手段】筆記具１は、シリコンやエラストマー等の軟質材料からなる一体型の本体軸２を備えている。本体軸２は、蛇腹状に形成された伸縮可能な伸縮部分３を有し、長手方向に関して伸縮部分３を挟むように、前軸部分４と後軸部分５とが区画されている。後軸部分５の後端を前側に押すと、軸孔１１の後端がリフィール１２の後端を押しながら、伸縮部分３が縮むと共に後軸部分５が前側に移動し、リフィール１２の後端が軸孔１１の後端に押されるので、リフィール１２が前側に移動し、筆記部１５が前端開口８から突出する。【選択図】図２
2015016600.tif 000002
【特許請求の範囲】
【請求項１】
前端に前端開口を有する本体軸と、
該本体軸内に収納されるリフィールと
を備え、
前記本体軸は、その長手方向に伸縮可能な軟質材料からなる伸縮部分を有し、該伸縮部分が縮むことにより、前記リフィールが前記本体軸内で移動して前記リフィールの前端の筆記部が前記前端開口から突出する筆記具。
【請求項２】
前記本体軸の外表面全体が前記軟質材料からなる、請求項１に記載の筆記具。
【請求項３】
前記本体軸全体が前記軟質材料からなる、請求項１または２に記載の筆記具。
【請求項４】
前記本体軸は一体型である、請求項１〜３のいずれか一項に記載の筆記具。
【請求項５】
前記本体軸には、その長手方向に延びるスリットが形成されている、請求項４に記載の筆記具。
【請求項６】
前記本体軸は、
前記前端開口を有する前軸と、
後軸と
が取り外し可能に連結して構成される、請求項１〜３のいずれか一項に記載の筆記具。
【発明の詳細な説明】
【技術分野】
【０００１】
この発明は、筆記具に係り、特に、リフィールの前端の筆記部を本体軸の前端開口から出没させるようにした出没式筆記具に関する。
【背景技術】
【０００２】
従来の出没式筆記具には、本体軸内に収納されたリフィールの前端の筆記部を本体軸の前端開口から出没させるための機構として、例えば、本体軸の後端から一部が突出するようにして本体軸に挿入された押圧部材を本体軸の前端に向かって押すことにより、押圧部材が直接または間接的にリフィールを押圧して筆記部が前端開口から突出するようなノック機構が採用されている。しかし、このノック機構を構成するためには多くの部品を複雑に組み立てる必要がある。通常、ノック機構には、その構成部品としてばねが含まれているが、筆記部を前端開口から出没させる機構としてばねを使用しないものが、特許文献１に記載されている。この筆記具は、リフィールに複数の弾性可曲片を設けると共にこの弾性可曲片の先端を収容する複数の溝を本体軸に設け、弾性可曲片の先端を複数の溝に嵌め込んでリフィールを本体軸内に固定している。弾性可曲片の屈曲方向を変えるようにリフィールを軸方向に移動させることで、筆記部が前端開口から出没する。この筆記具は、ばねを不要にすることで、従来の出没式筆記具に比べて部品点数を少なくすることができる。
【先行技術文献】
【特許文献】
【０００３】
【特許文献１】特開平１１−２１６９９０号公報
【発明の概要】
【発明が解決しようとする課題】
【０００４】
しかしながら特許文献１に記載された筆記具でも、リフィールに複数の弾性可曲片を設けると共にこの弾性可曲片の先端を収容する複数の溝を本体軸に設けるといった複雑な構成が必要であるといった問題点があった。
【０００５】
この発明はこのような問題点を解決するためになされたもので、簡単な構成かつ少ない部品点数で、筆記部を本体軸の前端開口から出没させるようにした筆記具を提供することを目的とする。
【課題を解決するための手段】
【０００６】
この発明に係る筆記具は、前端に前端開口を有する本体軸と、本体軸内に収納されるリフィールとを備え、本体軸は、その長手方向に伸縮可能な軟質材料からなる伸縮部分を有し、伸縮部分が縮むことにより、リフィールが本体軸内で移動してリフィールの前端の筆記部が前端開口から突出する。
本体軸の外表面全体が軟質材料から形成されてもよい。
本体軸全体が軟質材料から形成されてもよい。
本体軸は一体型であってもよい。この場合、本体軸に、その長手方向に延びるスリットを形成することで、スリットを介してリフィールを本体軸に挿入または本体軸から取り外すことができる。
本体軸は、前端開口を有する前軸と、後軸とが取り外し可能に連結して構成されてもよい。
【発明の効果】
【０００７】
この発明によれば、本体軸に、その長手方向に伸縮可能な軟質材料からなる伸縮部分を設け、伸縮部分が縮むことにより、リフィールが本体軸内で移動してリフィールの前端の筆記部が前端開口から突出するので、簡単な構成かつ少ない部品点数で、筆記部を前端開口から出没させることができる。
【図面の簡単な説明】
【０００８】
【図１】この発明の実施の形態１に係る筆記具の平面図である。
【図２】実施の形態１に係る筆記具であって筆記部が本体軸内に存在する状態の断面図である。
【図３】実施の形態１に係る筆記具であって筆記部が本体軸の前端開口から突出した状態の断面図である。
【図４】実施の形態１に係る筆記具であってリフィールを本体軸から取り外す動作を説明するための平面図である。
【図５】実施の形態２に係る筆記具の平面図である。
【図６】実施の形態２に係る筆記具であって筆記部が本体軸内に存在する状態の断面図である。
【図７】実施の形態２に係る筆記具であって筆記部が本体軸の前端開口から突出した状態の断面図である。
【図８】実施の形態３に係る筆記具の平面図である。
【図９】実施の形態３に係る筆記具であって筆記部が本体軸内に存在する状態の断面図である。
【図１０】実施の形態３に係る筆記具であって筆記部が本体軸の前端開口から突出した状態の断面図である。
【図１１】実施の形態４に係る筆記具の平面図である。
【図１２】実施の形態４に係る筆記具であって筆記部が本体軸内に存在する状態の断面図である。
【図１３】実施の形態５に係る筆記具の斜視図である。
【図１４】実施の形態５に係る筆記具であって筆記部が本体軸内に存在する状態の断面図である。
【図１５】実施の形態５に係る筆記具であって筆記部が本体軸の前端開口から突出した状態の断面図である。
【発明を実施するための形態】
【０００９】
以下、この発明の実施の形態を添付図面に基づいて説明する。なお、全ての実施の形態における説明にあたっては、筆記部１５側を「前」側とし、反対側を「後」側として説明する。
実施の形態１．
図１に示すように、筆記具１は、シリコンやエラストマー等の軟質材料からなる一体型の本体軸２を備えている。ここで、一体型とは、本体軸２が２つ以上のパーツに分離することがないことを意味している。本体軸２は、蛇腹状に形成された伸縮可能な伸縮部分３を有し、長手方向に関して伸縮部分３を挟むように、前軸部分４と後軸部分５とが区画されている。後軸部分５は、後端が閉じた円柱形状を有している。前軸部分４は、伸縮部分３に接続する後端を含む円柱形状の円柱部分７と、前端に前端開口８を有すると共に前端開口８に向かって外径が徐々に減少するような形状の前端部分９とを有している。本体軸２には、後軸部分５の長手方向に関して中央付近から、伸縮部分３を経由して、円柱部分７の長手方向に関して中央付近まで延びるように、スリット１０が形成されている。
【００１０】
図２に示されるように、本体軸２の内部には、その長手方向に延びるように円柱形状の軸孔１１が形成されている。軸孔１１は、スリット１０（図１参照）に連通している。本体軸２の内部において、軸孔１１は、後軸部分５から前端開口８まで延びており、後軸部分５は、後端が閉じた有底形状を有している。ただし、後軸部分５の後端には、本体軸２の外部と軸孔１１とを連通する空気孔３０が設けられている。軸孔１１の内部には、ボールペンのリフィール１２が収納されている。リフィール１２は、後端１２ａを含む樹脂製の円筒形状の本体部１３と、本体部１３の前端に接続されると共に本体部１３よりも外径の小さな樹脂製の円筒形状の中間部１４と、リフィール１２の前端に設けられた金属製の筆記部１５とを備えている。本体部１３と中間部１４との接続部分には、両者の外径の違いによって段差部１６が形成されている。中間部１４と筆記部１５との接続部分にも、両者の外径の違いによって段差部１７が形成されている。
【００１１】
軸孔１１は、前端開口８に接続すると共に筆記部１５が挿入可能な程度の内径を有する第１部分１１ａと、第１部分１１ａに隣接すると共にリフィール１２の中間部１４が挿入可能な程度の内径を有する第２部分１１ｂと、第２部分１１ｂに隣接すると共にリフィール１２の本体部１３が挿入可能な程度の内径を有する第３部分１１ｃと、第３部分１１ｃに隣接すると共に伸縮部分３の内部に位置し、さらにリフィール１２の本体部１３の外径よりも大きな内径を有する第４部分１１ｄと、第４部分１１ｄに隣接すると共に後軸部分５の内部に位置し、さらにリフィール１２の本体部１３が圧入可能な程度の内径を有する第５部分１１ｅとから構成されている。第１部分１１ａと第２部分１１ｂと第３部分１１ｃとは、前軸部分４の内部に位置している。第１部分１１ａと第２部分１１ｂとの接続部分及び第２部分１１ｂと第３部分１１ｃとの接続部分にはそれぞれ、各部分の内径の違いによって段差部１８及び１９が形成されている。第３部分１１ｃには、その長手方向に延びると共に前軸部分４の径方向内方に向かって突出するリブ２０が複数形成されている。
【００１２】
筆記部１５が本体軸２内に存在する状態では、軸孔１１の内部において、リフィール１２の後端１２ａに軸孔１１の後端が当接している。この状態で後軸部分５の後端を前側に押すと、伸縮部分３が縮むと共に後軸部分５が前側に移動し、後軸部分５の前側への移動によって、リフィール１２の後端１２ａが軸孔１１の後端に押される。リフィール１２の後端１２ａが軸孔１１の後端に押されると、リフィール１２が前側に移動し、筆記部１５が前端開口８から突出する。図３に示されるように、リフィール１２の段差部１８及び１９がそれぞれ軸孔１１の段差部１７及び１６に当接すると、リフィール１２がそれ以上は移動しなくなり、筆記具１は書ける状態となる。
【００１３】
この状態で後軸部分５の側面を指で強くつまんで後軸部分５をリフィール１２と共に筆記具１の後側に向かって引っ張ると、後軸部分５の移動とともに、軸孔１１内をリフィール１２が筆記具１の後側に向かって移動する。後軸部分５が筆記具１の後側に向かって移動すると、伸縮部分３が伸びていき、軸孔１１の長さが長くなるので、リフィール１２の全体が軸孔１１の内部に収容されるようになり、その結果、筆記部１５が本体軸２内に存在する状態（図２）となる。このようにして、筆記部１５が前端開口８から出没する。
【００１４】
本体軸２内に収容されるリフィール１２の交換は、スリット１０を介して行う。例えば、リフィール１２を本体軸２内から取り外すには、筆記部１５が前端開口８から突出した状態で後軸部分５を軽くつまんで後軸部分５のみを筆記具１の後端側に向かって引っ張る。すると、リフィール１２がそのままの状態で後軸部分５のみが筆記具１の後端側に移動するので、図４に示されるように、スリット１０からリフィール１２の後端１２ａが見える状態となる。スリット１０に対して垂直方向に後軸部分５を折り曲げると、リフィール１２の後端１２ａがスリット１０から飛び出して本体軸２の外部に位置するようになる。本体軸２の外部に位置するリフィール１２の後端１２ａ付近の部分をつまんで引っ張ると、リフィール１２が本体軸２の内部から取り外される。
【００１５】
リフィール１２を本体軸２内に組み込むには、リフィール１２を筆記部１５からスリット１０を介して本体軸２内に挿入し、筆記部１５が前端開口８から突出するまで押し込む。この状態で後軸部分５を筆記具１の後端側に向かって引っ張ることにより伸縮部分３を伸ばすと、リフィール１２の後端１２ａはスリット１０を介して容易に本体軸２内に入り込む。次に、後軸部分５を前端開口に向かって押し込んで、リフィール１２の後端１２ａと軸孔１１の後端とが接触する状態にする。この後は、筆記部１５を前端開口８から引っ込めるための動作と同じ動作を行うことにより、リフィール１２を本体軸２内に収容することができる。
【００１６】
このように、本体軸２に、その長手方向に伸縮可能な軟質材料からなる伸縮部分３を設け、伸縮部分３が縮むことにより、リフィール１２が本体軸２内で移動してリフィール１２の前端の筆記部１５が前端開口８から突出するので、簡単な構成かつ少ない部品点数で、筆記部１５を前端開口８から出没させることができる。
【００１７】
また、本体軸２全体が軟質材料から形成されているので、本体軸２の外表面全体が軟質材料からなる部分となっている。そうすると、本体軸２の外表面全体がグリップ部分と同じ役目を果たすことができる。昨今、鉛筆よりもシャープペンシルを使用する機会が多くなってきたことから、筆記具を正しい持ち方で書くユーザーが少なくなってきている。正しい持ち方で書くユーザーのためには、グリップ部分は、本体軸２のうちの決まった部分に設ければよいが、様々な持ち方をするユーザー全てに対応するためには、本体軸２の外表面全体がグリップ部分の役目を果たすことができれば好都合である。実施の形態１に係る筆記具１は、本体軸２の外表面全体が軟質材料からなる部分となっているので、このようなニーズを満たすことができる。
【００１８】
実施の形態１では、本体軸２全体が軟質材料のみから形成されていたが、この形態に限定するものではない。例えば、前軸部分４及び後軸部分５の少なくとも一方を、ポリプロピレンのような軟質ではない樹脂や金属、木等から形成したものの外表面に軟質材料をコーティングするようにして形成してもよい。
【００１９】
実施の形態２．
次に、この発明の実施の形態２に係る筆記具の構成を示す。尚、以下の実施の形態において、図１〜４の参照符号と同一の符号は、同一又は同様な構成要素であるので、その詳細な説明は省略する。
この発明の実施の形態２に係る筆記具は、実施の形態１に対して伸縮部分の構成を変更したものである。
【００２０】
図５に示されるように、筆記具３１は、シリコンやエラストマー等の軟質材料からなる一体型の本体軸３２を備えている。本体軸３２は、伸縮可能な伸縮部分３３を有し、長手方向に関して伸縮部分３３を挟むように、前軸部分３４と後軸部分３５とが区画されている。伸縮部分３３は、前軸部分３４に隣接する円錐台形状の前端側伸縮部材３３ａと、後軸部分３５に隣接する円錐台形状の後端側伸縮部材３３ｂとからなり、前端側伸縮部材３３ａと後端側伸縮部材３３ｂとの接続部分３３ｃは、前軸部分３４と前端側伸縮部材３３ａとの接続部分及び後軸部分３５と後端側伸縮部材３３ｂとの接続部分のいずれよりも外径が大きくなっている。
【００２１】
後軸部分３５は、後端が閉じた略円柱形状を有している。前軸部分３４は、伸縮部分３３に接続する後端を含む円柱形状の円柱部分７と、前端に前端開口８を有すると共に前端開口８に向かって外径が徐々に減少するような形状の前端部分９とを有している。本体軸３２には、伸縮部分３３の後端側伸縮部材３３ｂの長手方向に関して中央付近から、前端側伸縮部材３３ａを経由して、円柱部分７の長手方向に関して中央付近まで延びるように、スリット４０が形成されている。
【００２２】
図６に示されるように、本体軸３２の内部には、その長手方向に延びるように円柱形状の軸孔１１が形成されている。軸孔１１は、スリット４０（図５参照）に連通している。本体軸３２の内部において、軸孔１１は、後軸部分３５の後端よりも伸縮部分３３側にわずかに離れた位置から前端開口８まで延びている。軸孔１１の内部には、ボールペンのリフィール１２が収納されている。その他の構成は、実施の形態１と同じである。
【００２３】
筆記部１５が本体軸３２内に存在する状態では、伸縮部分３３の前端側伸縮部材３３ａ及び後端側伸縮部材３３ｂのそれぞれの形状が円錐台形状を有し、伸縮部分３３が最も伸びた状態になっている。この状態で後軸部分３５の後端を前側に押すと、前端側伸縮部材３３ａ及び後端側伸縮部材３３ｂのそれぞれの円錐台形状がつぶれることにより伸縮部分３３が縮み、これと共に後軸部分３５が前側に移動する。後軸部分３５が前側に移動すると、軸孔１１の後端がリフィール１２の後端１２ａを押しながら、伸縮部分３３が縮むと共に後軸部分３５が前側に移動する。リフィール１２の後端１２ａが軸孔１１の後端に押されるので、リフィール１２が前側に移動し、筆記部１５が前端開口８から突出する。図７に示されるように、リフィール１２の段差部１８及び１９がそれぞれ軸孔１１の段差部１７及び１６に当接すると、リフィール１２がそれ以上は移動しなくなり、筆記具３１は書ける状態となる。
【００２４】
筆記部１５を前端開口８から引っ込めるためには、実施の形態１と同様にして、後軸部分３５の側面を指で強くつまんで後軸部分３５をリフィール１２と共に筆記具３１の後側に向かって引っ張ればよい。また、リフィール１２を本体軸３２内から取り外す動作と、リフィール１２を本体軸３２内に収容する動作とは、実施の形態１と同様に、スリット４０を介して行うことができる。
【００２５】
このように、本体軸３２に、その長手方向に伸縮可能な軟質材料からなると共に円錐台形状の前端側伸縮部材３３ａ及び後端側伸縮部材３３ｂからなる伸縮部分３３を設け、前端側伸縮部材３３ａ及び後端側伸縮部材３３ｂのそれぞれの円錐台形状がつぶれることによって伸縮部分３３が縮むことにより、リフィール１２が本体軸２内で移動してリフィール１２の前端の筆記部１５が前端開口８から突出するので、簡単な構成かつ少ない部品点数で、筆記部１５を前端開口８から出没させることができる。また、本体軸３２全体が軟質材料によって形成されているので、実施の形態１と同様に、様々な持ち方をするユーザー全てに対応することができる。
【００２６】
実施の形態２においても、本体軸３２全体を軟質材料のみから形成することに限定するものではなく、前軸部分３４及び後軸部分３５の少なくとも一方を、ポリプロピレンのような軟質ではない樹脂や金属、木等から形成したものの外表面に軟質材料をコーティングするようにして形成してもよい。
【００２７】
実施の形態３．
次に、この発明の実施の形態３に係る筆記具の構成を示す。
この発明の実施の形態３に係る筆記具は、実施の形態１に対して、伸縮部分の構成を変更すると共に伸縮部分を本体軸の後端に設けるように変更したものである。
【００２８】
図８に示されるように、筆記具４１は、シリコンやエラストマー等の軟質材料からなる一体型の本体軸４２を備えている。本体軸４２は、軸筒部分４４と、軸筒部分４４の後端に設けられた伸縮部分４３とを備えている。軸筒部分４４は、円柱形状の円柱部分４７と、前端に前端開口８を有すると共に前端開口８に向かって外径が徐々に減少するような形状の前端部分４９とを有している。軸筒部分４４には、その後端よりもわずかに前端開口８側の位置から、軸筒部分４４の長手方向に関して中央付近まで延びるスリット５０が形成されている。伸縮部分４３は、円柱形状の前端側伸縮部材４３ａ及び後端側伸縮部材４３ｂを有している。前端側伸縮部材４３ａ及び後端側伸縮部材４３ｂはそれぞれ、ほぼ同じ外径を有しており、後端側伸縮部材４３ｂの後端は、円板状の後端面部４３ｂ１によって閉じた形状となっている。
【００２９】
図９に示されるように、本体軸４２の内部には、その長手方向に延びるように円柱形状の軸孔５１が形成されている。軸孔５１は、スリット５０（図８参照）に連通している。本体軸４２の内部において、軸孔５１は、後端面部４３ｂ１から前端開口８まで延びている。軸孔５１の内部には、ボールペンのリフィール１２が収納されている。
【００３０】
軸孔５１は、前端開口８に接続すると共に筆記部１５が挿入可能な程度の内径を有する第１部分５１ａと、第１部分５１ａに隣接すると共にリフィール１２の中間部１４が挿入可能な程度の内径を有する第２部分５１ｂと、第２部分５１ｂに隣接すると共にリフィール１２の本体部１３が挿入可能な程度の内径を有する第３部分５１ｃと、第３部分５１ｃに隣接すると共に伸縮部分４３の内部に位置し、さらにリフィール１２の本体部１３が挿入可能な程度の内径を有する第４部分５１ｄとから構成されている。第１部分５１ａと第２部分５１ｂと第３部分５１ｃとは、軸筒部分４４の内部に位置している。第１部分５１ａと第２部分５１ｂとの接続部分及び第２部分５１ｂと第３部分５１ｃとの接続部分にはそれぞれ、各部分の内径の違いによって段差部５８及び５９が形成されている。第３部分５１ｃには、その長手方向に延びると共に軸筒部分４４の径方向内方に向かって突出するリブ５２が複数形成されている。
【００３１】
軸孔５１の第４部分５１ｄの内部において、後端面部４３ｂ１から第４部分５１ｄの長手方向に向かって延びるように、円柱形状の挿入部５３が設けられている。挿入部５３は、軸孔５１内に収容されたリフィール１２の後端の孔に挿入するようになっている。
【００３２】
筆記部１５が本体軸４２内に存在する状態では、伸縮部分４３の前端側伸縮部材４３ａ及び後端側伸縮部材４３ｂのそれぞれの形状が円柱形状を有し、伸縮部分４３が最も伸びた状態になっている。この状態で後端面部４３ｂ１を前側に押すと、前端側伸縮部材４３ａ及び後端側伸縮部材４３ｂのそれぞれの円柱形状がつぶれることにより伸縮部分４３が縮み、これと共に後端面部４３ｂ１及び挿入部５３が前側に移動する。後端面部４３ｂ１及び挿入部５３が前側に移動すると、後端面部４３ｂ１がリフィール１２の後端を押しながら、伸縮部分４３が縮む。リフィール１２の後端が後端面部４３ｂ１に押されるので、リフィール１２が前側に移動し、筆記部１５が前端開口８から突出する。図１０に示されるように、リフィール１２の段差部１８及び１９がそれぞれ軸孔１１の段差部５９及び５８に当接すると、リフィール１２がそれ以上は移動しなくなり、筆記具４１は書ける状態となる。
【００３３】
筆記部１５を前端開口８から引っ込めるためには、伸縮部分４３の側面を指で強くつまんで伸縮部分４３をリフィール１２と共に筆記具４１の後側に向かって引っ張ればよい。また、リフィール１２を本体軸４２内から取り外す動作と、リフィール１２を本体軸４２内に収容する動作とは、実施の形態１と同様に、スリット５０を介して行うことができる。
【００３４】
このように、本体軸４２の後端に、その長手方向に伸縮可能な軟質材料からなると共に円柱形状の前端側伸縮部材４３ａ及び後端側伸縮部材４３ｂからなる伸縮部分４３を設け、前端側伸縮部材４３ａ及び後端側伸縮部材４３ｂのそれぞれの円柱形状がつぶれることによって伸縮部分４３が縮むことにより、リフィール１２が本体軸４２内で移動してリフィール１２の前端の筆記部１５が前端開口８から突出するので、簡単な構成かつ少ない部品点数で、筆記部１５を前端開口８から出没させることができる。また、本体軸４２全体が軟質材料によって形成されているので、実施の形態１と同様に、様々な持ち方をするユーザー全てに対応することができる。
【００３５】
実施の形態３においても、本体軸４２全体を軟質材料のみから形成することに限定するものではなく、軸筒部分４４を、ポリプロピレンのような軟質ではない樹脂や金属、木等から形成したものの外表面に軟質材料をコーティングするようにして形成してもよい。
【００３６】
実施の形態４．
次に、この発明の実施の形態４に係る筆記具の構成を示す。
この発明の実施の形態４に係る筆記具は、実施の形態３に対して、軸筒部分を２パーツからなるものに変更したものである。
尚、実施の形態４において、図８〜１０の参照符号と同一の符号は、同一又は同様な構成要素であるので、その詳細な説明は省略する。
【００３７】
図１１に示されるように、筆記具６１は、シリコンやエラストマー等の軟質材料からなる本体軸６２を備えている。本体軸６２は、軸筒部分６４と、軸筒部分６４の後端に設けられた伸縮部分４３とを備えている。軸筒部分６４は、前端に前端開口８を有する前軸６５と、伸縮部分と隣接する後軸６６とから構成されている。前軸６５の前端側は、前端開口８に向かって外径が徐々に減少するような形状を有している。
【００３８】
図１２に示されるように、本体軸６２の内部には、後端面部４３ｂ１から前端開口８まで延びるように円柱形状の軸孔５１が形成されている。軸孔５１の内部には、ボールペンのリフィール１２が収納されている。
【００３９】
前軸６５の後端側及び後軸６６の前端側にはそれぞれ、他の部分よりも壁厚の薄い部分が形成されている。すなわち、これらの部分の内径は、軸孔５１の内径よりも大きくなっている。これらの部分に、プラスチック製の円筒形状の連結部材７０が挿入することにより、前軸６５と後軸６６とが連結されている。連結部材７０の内径は、軸孔５１の第３部分５１ｃの内径と同じである。連結部材７０の軸方向に関して中央部分に、連結部材７０の側面から径方向外方に向かって延びる円板状の仕切部７１が設けられている。仕切部７１の外径は、前軸６５及び後軸６６それぞれの外径と同じであり、連結部材７０によって前軸６５と後軸６６とが連結された状態では、本体軸６２の外表面には、仕切部７１の外表面のみが見える状態になっている。
その他の構成は、本体軸６２にスリットが形成されていない点を除き、実施の形態３と同じである。
【００４０】
伸縮部分４３及び軸孔５１の構成は実施の形態３と同じであるので、前端開口８から筆記部１５を出没させる動作は、実施の形態３と同じである。また、リフィール１２を本体軸６２から取り外すには、前軸６５を前側に引っ張ることで、前軸６５を後軸６６から分離する。すると、後軸６６の前端側から、筆記部１５を含むリフィール１２の前側の半分くらいの領域が突出した状態になる。この状態でリフィール１２を前側に引っ張ることで、リフィール１２の後端の孔に挿入した挿入部５３が当該孔から抜かれるので、リフィール１２が本体軸６２から取り外される。リフィール１２を本体軸６２内に収納させるには、この手順と逆の動作を行えばよい。
【００４１】
このように、前軸６５及び後軸６６からなる軸筒部分６４の後端に、その長手方向に伸縮可能な軟質材料からなると共に円柱形状の前端側伸縮部材４３ａ及び後端側伸縮部材４３ｂからなる伸縮部分４３を設けた構成でも、前端側伸縮部材４３ａ及び後端側伸縮部材４３ｂのそれぞれの円柱形状がつぶれることによって伸縮部分４３が縮むことにより、リフィール１２が本体軸６２内で移動してリフィール１２の前端の筆記部１５が前端開口８から突出するので、簡単な構成かつ少ない部品点数で、筆記部１５を前端開口８から出没させることができる。また、本体軸６２全体が軟質材料によって形成されているので、実施の形態１と同様に、様々な持ち方をするユーザー全てに対応することができる。
【００４２】
実施の形態４においても、本体軸６２全体を軟質材料のみから形成することに限定するものではなく、前軸６５及び後軸６６の少なくとも一方を、ポリプロピレンのような軟質ではない樹脂や金属、木等から形成したものの外表面に軟質材料をコーティングするようにして形成してもよい。また、少なくとも仕切部７１をシリコンやエラストマー等の軟質材料から形成することにより、本体軸６２の外表面全体を軟質材料にすることもできる。
【００４３】
実施の形態５．
次に、この発明の実施の形態５に係る筆記具の構成を示す。
この発明の実施の形態５に係る筆記具は、実施の形態１に対して、一体型の本体軸の形状を変更したものである。
【００４４】
図１３に示されるように、筆記具８１は、シリコンやエラストマー等の軟質材料からなる一体型の本体軸８２を備えている。本体軸８２は、全体的に円柱形状を有しており、その後端は後端面部８２ａによって閉じた形状を有し、その前端側は、前端開口８に向かって外径が徐々に減少するような形状を有している。また、本体軸８２には、その後端から前端開口８側にずれた位置から前端開口８の方向にむかって、その一部が切り欠かれることにより切欠部８３が形成されている。
【００４５】
図１４に示されるように、本体軸８２の内部には、後端面部８２ａから前端開口８まで延びるように円柱形状の軸孔９１が形成されている。軸孔９１の内部には、ボールペンのリフィール９２が収納されている。軸孔９１は、切欠部８３に連通しており、その結果、本体軸８２にスリット９０（図１３参照）が構成される。
【００４６】
リフィール９２は、実施の形態１〜４のリフィール１２（図２参照）と同様に、樹脂製の本体部１３と、樹脂製の中間部１４と、リフィール９２の前端に設けられた金属製の筆記部１５とを備え、本体部１３と中間部１４との接続部分には、両者の外径の違いによって段差部１６が形成され、中間部１４と筆記部１５との接続部分にも、両者の外径の違いによって段差部１７が形成されている。さらにリフィール９２には、段差部１６近傍の本体部１３の外表面に、当該外表面から本体部１３の径方向外方に突出する円板形状の突起部９３が設けられている。軸孔９１には、前端開口８と切欠部８３の前端との間に相当する位置に、突起部９３が嵌る２つの溝９４，９５が、軸孔９１の長手方向に関してある間隔をあけて設けられている。それらの位置については後述する。
【００４７】
筆記部１５が本体軸８２内に存在する状態では、リフィール９２の後端は後端面部８２ａに当接しており、リフィール９２の本体部１３に設けられた突起部９３は、後側の溝９５に嵌まっている。ここで、ユーザーは、左手の親指と人差し指で、前端開口８と切欠部８３の前端との間に相当する位置において本体軸８２を握り、スリット９０から露出しているリフィール９２に右手の親指を添えると共に切欠部８３の裏側の位置において本体軸８２に右手の人差し指を添えて、両指で本体軸８２をしっかり握り、さらに右手の掌に後端面部８２ａを当接させる。この状態で、左手を動かさずに右手を前側に移動させると、後端面部８２ａがリフィール９２の後端を押すことにより、軸孔９１内において突起部９３が溝９５から外れる。これにより、リフィール９２は、軸孔９１内を前側に向かって移動する。この際、本体軸８２のうち切欠部８３が設けられた部分は他の部分に比べて強度が弱いので、リフィール９２の移動に伴い、当該部分は撓むことにより本体軸８２の長手方向に関して縮んでいく。すなわち、この部分が、実施の形態５に係る筆記具８１の伸縮部分を構成する。
【００４８】
リフィール９２が軸孔９１内を前側に向かって移動すると、突起部９３は、前側の溝９４に嵌まる。図１５に示されるように、この状態では、筆記部１５が前端開口８から突出した状態となる。また、この状態では、軸孔９１内において、リフィール９２の後端と後端面部８２ａとの間には間隔が空いている。この結果、筆記具８１は書ける状態となる。尚、溝９４は、筆記部１５が前端開口８から突出した状態となる位置に形成する必要があり、溝９５は、筆記部１５が本体軸８２内に収納される位置に形成する必要がある。
【００４９】
上述した握り方で、後端面部８２ａを前側に押してリフィール９２の後端に当接させた後（この際、筆記具８１の当該伸縮部分が撓むことにより本体軸８２の長手方向に関して縮む）、本体軸８２の伸縮部分に相当する位置を後側に向かって引っ張ると、突起部９３が溝９４から外れ、リフィール９２が軸孔９１内を後側に移動すると共に本体軸８２の伸縮部分が伸びる。リフィール９２が軸孔９１内を後側に移動することにより、突起部９３が溝９５に嵌まり、筆記部１５は本体軸８２内に収納された状態（図１４参照）となる。
【００５０】
筆記部１５が前端開口８から突出した状態（図１５参照）で、リフィール９２の後端と後端面部８２ａとの間に相当する位置で本体軸８２を折り曲げると、リフィール９２の後端がスリット９０から本体軸８２の外部に出るので、リフィール９２を引っ張ることにより、リフィール９２を本体軸８２から取り外すことができる。リフィール９２を本体軸８２内に収納するときには、スリット９０から筆記部１５を軸孔９１内に挿入させるようにリフィール９２を軸孔９１内に挿入して、筆記部１５を前端開口８から突出させる。この状態では、リフィール９２の後端と後端面部８２ａとの間に相当する位置で本体軸８２を折り曲げることで、リフィール９２の後端が軸孔９１内に入り込むので、リフィール９２が本体軸８２内に収納される。
【００５１】
このように、軟質材料からなる一体型の本体軸８２に、その後端から前端開口８側にずれた位置から前端開口８の方向にむかって、その一部が切り欠かれることにより切欠部８３が形成された筆記具８１でも、本体軸８２のうち、切欠部８３が形成された部分が縮むことにより、リフィール９２が本体軸８２内で移動してリフィール９２の前端の筆記部１５が前端開口８から突出するので、簡単な構成かつ少ない部品点数で、筆記部１５を前端開口８から出没させることができる。また、本体軸８２全体が軟質材料によって形成されているので、実施の形態１と同様に、様々な持ち方をするユーザー全てに対応することができる。さらに、実施の形態１〜４とは異なり、筆記部１５を出没させる機構である伸縮部分の形状が他の部分と明確に区別できず、本体軸８２の全体形状に融合しているので、筆記具８１は、従来の筆記具のようなメカニカルな印象を与えず、視覚的に斬新な印象を与えることができる。
【００５２】
実施の形態５においても、本体軸８２全体を軟質材料のみから形成することに限定するものではなく、伸縮部分に相当する部分以外の部分を、ポリプロピレンのような軟質ではない樹脂や金属、木等から形成したものの外表面に軟質材料をコーティングするようにして形成してもよい。
【００５３】
実施の形態１〜５では、リフィール１２はボールペンであったが、シャープペンシル等の他の種類のリフィールであってもよい。
【符号の説明】
【００５４】
１，３１，４１，６１，８１  筆記具、２，３２，４２，６２，８２  本体軸、３，３３，４３  伸縮部分、８  前端開口、１０，４０，５０，９０  スリット、１２，９２  リフィール、１５  筆記部、６５  前軸、６６  後軸。
【図１】
2015016600.tif 000003
【図２】
2015016600.tif 000004
【図３】
2015016600.tif 000005
【図４】
2015016600.tif 000006
【図５】
2015016600.tif 000007
【図６】
2015016600.tif 000008
【図７】
2015016600.tif 000009
【図８】
2015016600.tif 000010
【図９】
2015016600.tif 000011
【図１０】
2015016600.tif 000012
【図１１】
2015016600.tif 000013
【図１２】
2015016600.tif 000014
【図１３】
2015016600.tif 000015
【図１４】
2015016600.tif 000016
【図１５】
2015016600.tif 000017